(57)【要約】【課題】不注意で踏み付けた際の破損を防止する。【解決手段】布団乾燥機１０は、掛け布団の外側に配置される吸込部１７と、敷き布団と掛け布団との間に配置される挿入部（重畳部１４、吐出部材２７）と、外気を吸込口１９から吸い込んで吐出口３６から吐出する送風手段（ファン５３）と、吸い込んだ外気を加熱する加熱手段（ＰＴＣヒータ５５）と、熱手段５５の上流側から下流側にかけた加熱領域１６に設けられ、上下壁１２ａ，１３ａ間の耐圧強度を高める補強部（補強ケース６８）とを備える。【選択図】図１
2014064826.tif 000002
【特許請求の範囲】
【請求項１】
吸込口を有し、掛け布団の外側に配置される吸込部と、
吐出口を有し、敷き布団と掛け布団との間に配置される挿入部と、
前記吸込口から前記吐出口に至る送風路中に配設され、外気を前記吸込口から吸い込んで前記吐出口から吐出する送風手段と、
前記挿入部内の前記送風路中に配設され、吸い込んだ外気を加熱する加熱手段と、
前記挿入部内の前記送風路中における前記加熱手段の上流側から下流側にかけた加熱領域に設けられ、前記挿入部の上下壁間の耐圧強度を高める補強部と、
を備えることを特徴とする布団乾燥機。
【請求項２】
前記補強部は、前記挿入部の上下壁に近接し、内部空間によって前記送風路の一部を構成する別体の筒状部材からなることを特徴とする請求項１に記載の布団乾燥機。
【請求項３】
前記筒状部材は矩形状をなし、両端の開口部に支持柱部を有することを特徴とする請求項２に記載の布団乾燥機。
【請求項４】
前記挿入部は、前記吐出口を有する別体の吐出部材を有し、この吐出部材を前記補強部の近傍でヒンジ接続部によって回動可能に接続したことを特徴とする請求項１乃至請求項３のいずれか１項に記載の布団乾燥機。
【請求項５】
前記ヒンジ接続部の両端に補強リングを配設したことを特徴とする請求項４に記載の布団乾燥機。
【請求項６】
前記加熱手段は、金属製の伝熱ケース内に配設したＰＴＣヒータであり、前記伝熱ケースの両端に前記補強部内に装着するための装着用耐熱部材を配設したことを特徴とする請求項１乃至請求項５のいずれか１項に記載の布団乾燥機。
【請求項７】
前記挿入部の補強部内に、前記加熱手段による過剰加熱を防止するための安全装置を配設したことを特徴とする請求項１乃至請求項６のいずれか１項に記載の布団乾燥機。
【発明の詳細な説明】
【技術分野】
【０００１】
本発明は、衣類乾燥にも使用可能な布団乾燥機に関する。
【背景技術】
【０００２】
布団乾燥機は、外装体の内部に送風手段と加熱手段とを備え、吸込口から吸い込んだ外気を加熱して吐出口から吐出する。少なくとも吐出口側の一部が敷き布団と掛け布団との間に挿入配置され、これらの間に加熱した空気を供給することにより、各布団を乾燥させる。
【０００３】
特許文献１に記載の布団乾燥機は、掛け布団から露出して配置される一端側の吸込部に吸込口を備え、敷き布団と掛け布団との間に配置される他端側の吐出部に吐出口を備える。吐出口は、敷き布団と掛け布団との間に配設されたエアマットに接続される。
【０００４】
また、特許文献２に記載の布団乾燥機は、外装体の一端の吸込口に連通するダクトを備える。ダクト内は送風路を構成し、内部に送風手段と加熱手段とが配設され、ダクトの先端の吐出口から加熱した温風を吐出する。また、敷き布団と掛け布団との間に配置され、これらの間に送風空間を形成するためのアームが搭載されている。
【０００５】
さらに、特許文献３に記載の布団乾燥機は、非使用時に折り畳むことを可能としている。ヒンジ接続された本体と副体には、折畳み状態で対向する面に通風マットが配設されている。使用時には、本体と副体とを広げて水平に展開させ、通風マットに温風を送風する。これにより、通風マットに接触する布団を乾燥させる。
【０００６】
しかしながら、これらの布団乾燥機は、一部または全部が敷き布団と掛け布団との間に配置され、隠れた状態で使用されるため、使用中に誤って踏み付けると破損する。特に、布団中に配置される部分に加熱手段を配設した布団乾燥機の場合、意図しない過度の発熱に繋がる恐れがある。
【先行技術文献】
【特許文献】
【０００７】
【特許文献１】実用新案登録第２５７７８３９号公報
【特許文献２】特開平６−２１８１９０号公報
【特許文献３】特公平７−４４９８８号公報
【発明の概要】
【発明が解決しようとする課題】
【０００８】
本発明は、不注意で踏み付けた際の破損を防止できる布団乾燥機を提供することを課題とする。
【課題を解決するための手段】
【０００９】
前記課題を解決するため、本発明の布団乾燥機は、吸込口を有し、掛け布団の外側に配置される吸込部と、吐出口を有し、敷き布団と掛け布団との間に配置される挿入部と、前記吸込口から前記吐出口に至る送風路中に配設され、外気を前記吸込口から吸い込んで前記吐出口から吐出する送風手段と、前記挿入部内の前記送風路中に配設され、吸い込んだ外気を加熱する加熱手段と、前記挿入部内の前記送風路中における前記加熱手段の上流側から下流側にかけた加熱領域に設けられ、前記挿入部の上下壁間の耐圧強度を高める補強部と、を備える構成としている。
【００１０】
布団乾燥機は、布団間に配置される挿入部に加熱手段が配設されているが、加熱手段の上流側から下流側にかけた加熱領域に耐圧強度を高める補強部が設けられているため、ユーザが不注意で使用中に踏み付けた際に、加熱手段を配設した加熱領域が破損することを防止できる。そのため、使用上の安全性を高めることができる。
【００１１】
具体的には、前記補強部は、前記挿入部の上下壁に近接し、内部空間によって前記送風路の一部を構成する別体の筒状部材からなることが好ましい。この場合、前記筒状部材は矩形状をなし、両端の開口部に支持柱部を有することが好ましい。このようにすれば、十分な送風路の断面積を確保したうえで、十分な強度を確保することができる。
【００１２】
また、前記挿入部は、前記吐出口を有する別体の吐出部材を有し、この吐出部材を前記補強部の近傍でヒンジ接続部によって回動可能に接続することが好ましい。この場合、前記ヒンジ接続部の両端に補強リングを配設することが好ましい。このようにすれば、加熱手段を配設した加熱領域の強度を更に高めることができる。
【００１３】
さらに、前記加熱手段は、金属製の伝熱ケース内に配設したＰＴＣヒータであり、前記伝熱ケースの両端に前記補強部内に装着するための装着用耐熱部材を配設することが好ましい。このようにすれば、周辺温度を自己判断して放熱量制御を行うことが可能なＰＴＣ（Positive Temperature Coefficient）ヒータが熱暴走した場合でも、過剰加熱による溶融物が伝熱ケースの端部から周辺に拡散することを防止できる。よって、更に安全性を高めることができる。また、装着用耐熱部材により加熱領域内の強度を更に向上することができる。
【００１４】
さらにまた、前記挿入部の補強部内に、前記加熱手段による過剰加熱を防止するための安全装置を配設することが好ましい。ここで、補強部内に安全装置を配設するとは、安全装置の検出部だけを補強部内に配置する構成、および、安全装置全体を補強部内に配置する構成の両方を含む。このようにすれば、不注意で踏み付けた際に安全装置が破損することを防止できる。また、加熱手段による加熱温度を正確に検出することができる。そのため、製品の安全性と信頼性を高めることができる。
【発明の効果】
【００１５】
本発明の布団乾燥機では、加熱手段を配設した加熱領域に補強部を設けているため、ユーザが不注意で踏み付けた際の破損を防止できる。そのため、意図しない過度の発熱に繋がることはなく、使用上の安全性を高めることができる。
【図面の簡単な説明】
【００１６】
【図１】本発明に係る実施形態の布団乾燥機の使用状態を示す断面図。
【図２】図１の斜視図。
【図３】折畳み状態の布団乾燥機を示す断面図。
【図４】図３の斜視図。
【図５】布団乾燥機の内部構成を示す平面図。
【図６】布団乾燥機の分解斜視図。
【図７】加熱領域の構成を示す分解斜視図。
【図８】ＰＴＣヒータと補強ケースの構成を示す分解斜視図。
【発明を実施するための形態】
【００１７】
以下、本発明の実施の形態を図面に従って説明する。
【００１８】
図１乃至図７は、本発明に係る実施形態の布団乾燥機１０を示す。布団乾燥機１０は、内部に送風手段を構成するファン５３と、加熱手段を構成するＰＴＣヒータ５５とを備え、吸い込んだ外気を加熱して敷き布団と掛け布団との間に吐出し、布団を乾燥させる。ＰＴＣヒータ５５を配設する加熱領域１６には補強ケース（補強部）６８を配設し、上下方向の耐圧強度を向上している。
【００１９】
布団乾燥機１０の外装体は、乾燥機本体１１と吐出部材２７とを備える。乾燥機本体１１と吐出部材２７とは、図１および図２に示す使用状態（展開状態）と図３および図４に示す折畳み状態との間で回動可能にヒンジ接続されている。
【００２０】
図１および図２に示すように、乾燥機本体１１は、第１下ケース１２と第１上ケース１３とを備え、これらケース１２，１３がネジ止めにより固定されている。乾燥機本体１１は、図３および図４に示す折畳み状態で吐出部材２７が重畳される重畳部１４を備える。また、重畳部１４の一端側には、全高を高くした吸込部１７が設けられ、重畳部１４の他端側には、吐出部材２７を回動可能に取り付けるヒンジ接続部２２が設けられている。
【００２１】
重畳部１４は、使用状態で敷き布団と掛け布団との間に配置される挿入部である。重畳部１４の両側には、横方向下向きに傾斜した傾斜部１５が設けられている。重畳部１４の内部は、ＰＴＣヒータ５５が配設される加熱領域１６である。
【００２２】
吸込部１７は横置きの四角筒形状をなし、使用状態で掛け布団の外側に配置される。吸込部１７は、第１上ケース１３に上向きに膨出する膨出部を設けることにより形成される。吸込部１７と傾斜部１５および重畳部１４との間には段部１８が形成される。吸込部１７の両側面には、外気を取り入れる吸込口１９が形成されている。吸込口１９には、フィルタ部材２０（図５参照）が配設されるとともに、その外面にフィルタカバー２１が配設されている。
【００２３】
ヒンジ接続部２２は、両端が開口した横置きの円筒状をなし、加熱領域１６の近傍に位置する。ヒンジ接続部２２は、第１下ケース１２に設けた半円筒状をなすヒンジ下部２３と、第１上ケース１３に設けた半円筒状をなすヒンジ上部２４とで構成される。また、ヒンジ上部２４の表面には、円弧状をなすヒンジカバー２５が配設されている。さらに、ヒンジ接続部２２の両端には、円環状をなす金属製の補強リング２６（図５参照）が配設されている。
【００２４】
吐出部材２７は、使用状態で敷き布団と掛け布団との間に配置される挿入部である。吐出部材２７は、重畳部１４に対して吸込部１７の反対側に位置するようにヒンジ接続され、図１および図２に示す使用状態では乾燥機本体１１の横方向に並び、図３および図４に示す折畳み状態では重畳部１４上に重畳するように回動される。吐出部材２７は、第２下ケース２８と第２上ケース２９とを備え、これらケース２８，２９がネジ止めにより固定されている。
【００２５】
吐出部材２７は、乾燥機本体１１の側にヒンジ接続部２２の両端に接続される一対の接続部３０，３０を備える。接続部３０は、第２下ケース２８に形成した接続部下部３１と、第２上ケース２９に形成した接続部上部３２とを有する。接続部下部３１と接続部上部３２とは、ケース２８，２９の組み付けによりヒンジ接続部２２の両端に嵌合される。
【００２６】
吐出部材２７は中空状をなし、その内部に多数の補強リブ３３が設けられている。この補強リブ３３により上下方向の耐圧強度を高め、掛け布団で隠れた吐出部材２７が踏まれた際の破損を防止している。吐出部材２７は、接続部３０と反対側に位置する先端が開口され、その開口にルーバー３４が配設されている。ルーバー３４は、中央に閉塞部３５を備え、その両側に横方向に隣接する一対の吐出口３６，３６が設けられている。
【００２７】
吐出部材２７は、図１および図２に示す使用状態では、第２下ケース２８の底壁２８ａが、乾燥機本体１１の第１下ケース１２の底壁１２ａに対して面一に位置する。また、吐出部材２７の第２上ケース２９には、図３および図４に示す折畳み状態で、重畳部１４と対応して嵌合する凹部３７が設けられている。折畳み状態では段部１８と吐出部材２７のルーバー３４とが対向し、吐出部材２７の上端（底壁２８ａ）が吸込部１７の上端と同一高さに位置する。凹部３７の両側には、折畳み状態では重畳部１４に重畳することなく横に隣接して位置するとともに傾斜部１５上に所定間隔をもって位置し、使用状態では凹部３７の横から上向きに突出する膨出部３８が設けられている。膨出部３８の両側は、傾斜部１５と同様の傾斜部３９とされている。
【００２８】
このように構成した外装体の内部には、吸込口１９と吐出口３６とを連通させる送風路４０が形成されている。送風路４０は、図５および図６に示すように、各吸込口１９に連通する吸込部１７内の一対の第１通路４１，４１と、第１通路４１，４１に連通する重畳部１４内の第２通路４５と、第２通路４５に連通したヒンジ接続部２２内の第３通路４９と、第３通路４９の両端に連通した吐出部材２７内の第４通路５２とを備える。
【００２９】
第１通路４１は、吸込部１７内に配設したファンケース４２の内部空間により構成される。ファンケース４２は、吸込口１９に対向する流入口４３と、重畳部１４の側に形成された流出口４４とを備える。
【００３０】
第２通路４５は、重畳部１４内に配設したヒータケース４６の内部空間により構成される。ヒータケース４６は、一対のファンケース４２，４２の流出口４４に接続される一対の第３下ケース４７と第３上ケース４８とを備える。ヒータケース４６の底壁４７ａは重畳部１４の底壁１２ａに近接し、ヒータケース４６の天壁４８ａは重畳部１４の天壁１３ａに近接する。即ち、ヒータケース４６は、重畳部１４内を補強し、上下方向の耐圧強度を高める役割をなす。
【００３１】
第３通路４９は、ヒンジ接続部２２の内部空間により構成される。第３通路４９は、第２通路４５によって合流させた空気を再び両側へ分流し、下流側に位置する吐出部材２７内の第４通路５２へ送風する。本実施形態では、ヒータケース４６に形成したヒンジ接続部２２内に配置される筒状部により構成される。筒状部は、第３下ケース４７に形成した下側筒部５０と、第３上ケース４８に形成した上側筒部５１とで構成される。これら筒部５０，５１は、ヒンジ下部２３およびヒンジ上部２４に近接し、ヒンジ接続部２２の強度を高める役割をなす。
【００３２】
第４通路５２は、吐出部材２７を構成するケース２８，２９の内部空間により構成される。第４通路５２は、凹部３７の形成により開口面積が狭められ閉塞部３５の形成により外部への吐出が妨げられた中央部と、膨出部３８の形成により開口面積が広げられ吐出口３６の形成により外部への吐出を可能とした両側部とを有する。
【００３３】
送風路４０のうち、掛け布団の外部に位置する第１通路中には、吸込口１９から外気を吸い込んで吐出口３６から吐出する送風手段として、送風部材であるファン５３と駆動部材である駆動モータ５４とが配設されている。また、敷き布団と掛け布団の間に位置する第２通路中には、吸込口１９から吸い込んだ外気を加熱する加熱手段として、ＰＴＣヒータ５５が配設されている。
【００３４】
ファン５３は、ファンケース４２内に配設されたシロッコファンからなる。このシロッコファンは、回転軸の延び方向に沿って空気を吸い込み、第２通路４５へ向けて径方向外向きに空気を送出する。一対のファン５３，５３は、１個の駆動モータ５４の１本の回転軸に連結されている。駆動モータ５４は、両側面から回転軸を突設したコンデンサモータからなり、ファンケース４２，４２の間に配設されている。
【００３５】
ＰＴＣ（Positive Temperature Coefficient）ヒータは、周辺温度に基づいた自己温調機能を有するもので、第２通路中である重畳部１４内に配設されている。ＰＴＣヒータ５５は、図１に示すように、熱伝導度が高いアルミニウム製の伝熱ケース５７Ａ，５７Ｂ内に配設され、一対の装着用耐熱部材６３Ａ，６３Ｂを介して補強ケース６８内に配設される。そして、補強ケース６８に組み付けた状態で、ヒータケース４６内の加熱領域１６に配設される。
【００３６】
伝熱ケース５７Ａ，５７Ｂは四角筒状をなし、内部にＰＴＣヒータ５５を配置した状態で組み合わせられる。伝熱ケース５７Ａ，５７Ｂの一端側には、ＰＴＣヒータ５５の接続端子５６が突出した状態をなす。伝熱ケース５７Ａ，５７Ｂには、多数の放熱フィン５８Ａ，５８Ｂが削り起こしにより一体的に形成されている。これら放熱フィン５８Ａ，５８Ｂは円弧面状をなし、伝熱ケース５７Ａ，５７Ｂの長手方向に沿って一定間隔をあけて並べて設けられている。放熱フィン５８Ａ，５８Ｂの両端からは、四角形状をなす収容ケース５７Ａ，５７Ｂの端部が突出した形状をなす。上側の伝熱ケース５７Ａには、上壁の両側縁から下向きに突出する側壁部５９ａと、側壁部５９ａの下端から内向きに突出する係止部５９ｂとを有する第１係合レール部５９が設けられている。下側の伝熱ケース５７Ｂには、係止部５９ｂの内側に位置する内壁部６０ａと、内側部６０ａの上端から外向きに突出する係止部６０ｂとを有する第２係合レール部６０が設けられている。一対の係止部５９ｂ，６０ｂの間はシールパッキン６１により密封されている。また、第１係合レール部５９の側壁部５９ａと第２係合レール部６０との隙間、および、伝熱ケース５７Ａ，５７Ｂの両端部は、導電性シリコンからなるシール部材６２により密封されている。
【００３７】
図７および図８に示すように、装着用耐熱部材６３Ａ，６３Ｂは、ＰＴＣヒータ５５を収納した伝熱ケース５７Ａ，５７Ｂを補強ケース６８に装着する。装着用耐熱部材６３Ａ，６３Ｂの両側下端には、ネジ孔を有する固定用のブラケット部６４が設けられている。一方の装着用耐熱部材６３Ａは、接続端子５６が突出された伝熱ケース５７Ａ，５７Ｂの一端側に配設され、他方の装着用耐熱部材６３Ｂは、接続端子５６が突出されていない伝熱ケース５７Ａ，５７Ｂの他端側に配設される。装着用耐熱部材６３Ａ，６３Ｂの対向面には、接続端子５６の有無を含む、放熱フィン５８Ａ，５８Ｂおよび伝熱ケース５７Ａ，５７Ｂの形状に対応する嵌合部６５Ａ，６５Ｂが設けられている。具体的には、嵌合部６５Ａ，６５Ｂは、伝熱ケース５７Ａ，５７Ｂの端部の嵌合する四角形状の中央嵌合部６５ａと、放熱フィン５８Ａ，５８Ｂに対応する湾曲面を有するフィン嵌合部６５ｂとを有する。また、嵌合部６５Ａには、接続端子５６を貫通させる貫通孔６６が設けられている。さらに、装着用耐熱部材６３Ａの外側には、貫通孔６６を通して露出される接続端子５６を制御基板（図示せず）と接続するための接続用耐熱部材６７が配設される。本実施形態の装着用耐熱部材６３Ａ，６３Ｂおよび接続用耐熱部材６７は、耐熱性が高い碍子により形成されているが、ＳＰＳ（シンジオタクチックポリスチレン）樹脂やフェノール樹脂等の耐熱性を有する樹脂により形成してもよい。
【００３８】
補強ケース６８は四角筒状をなし、ヒータケース４６内に配設されることにより、第２通路４５を通過する全ての空気が内部を通過する。補強ケース６８は金属製であり、重畳部１４内において、ＰＴＣヒータ５５の上流側から下流側にかけた加熱領域１６の上下壁１３ａ，１２ａ間の耐圧強度を高める補強部を構成する。補強ケース６８は、ヒータケース４６の底壁４７ａ上に配置される底板部６９と、底板部６９の両側から立設された側板部７０ａ，７０ｂと、側板部７０ａ，７０ｂの上端にネジ止め固定される別体の天板部７１とを備える。天板部７１は、ヒータケース４６の天壁４８ａに近接するように、側板部７０ａ，７０ｂの全高が設定されている。また、側板部７０ａには、接続端子５６を外側へ露出する溝状の挿通部７２が設けられている。補強ケース６８の両端の矩形状の開口部６８ａには、台形状をなす別体の支持柱部７３が配設されている。この支持柱部７３は、加熱領域１６におけるＰＴＣヒータ５５の上流側および下流側に位置し、上下壁１３ａ，１２ａ間の耐圧強度を更に高める補強部を構成する。
【００３９】
補強ケース６９の内部には、ＰＴＣヒータ５５による過剰加熱を防止するための安全装置として、サーミスタ７４と温度ヒューズ７５Ａ，７５Ｂとが配設されている。サーミスタ７４は、補強ケース６９のヒータケース４６の第３上ケース４８の天壁４８ａに配設されている。サーミスタ７４の検出部７４ａは、天壁４８ａおよび天板部７１を貫通し、補強ケース６９内に位置され、ＰＴＣヒータ５５による加熱温度を検出する。温度ヒューズ７５Ａ，７５Ｂは直列に接続され、一方の温度ヒューズ７５Ａが上流側に位置する支持柱部７３に配設され、他方の温度ヒューズ７５Ｂが下流側に位置する支持柱部７３に配設されている。即ち、サーミスタ７４は、検出部７４ａのみが補強ケース６７内に位置するように配設され、温度ヒューズ７５Ａ，７５Ｂは、全体が補強ケース６７内に位置するように配設されている。
【００４０】
布団乾燥機１０を使用する際には、図１および図２に示すように、乾燥機本体１１に対して吐出部材２７が横側に位置するように広げ、乾燥機本体１１の底壁１２ａと吐出部材２７の底壁２８ａとを面一にする。この状態で、例えば枕を置く位置に吸込部１７が位置するように敷き布団上に配置した後、敷き布団上に掛け布団をセットする。この際、掛け布団の端を段部１８に位置させることにより、吸込部１７を掛け布団の外部に確実に露出させることができる。その結果、吸込部１７に形成した吸込口１９を塞ぐという誤使用を防止できる。
【００４１】
ユーザの操作により乾燥処理を実行すると、駆動モータ５４とＰＴＣヒータ５５が動作される。これにより、図５に示すように、吸込部１７の両側の吸込口１９から外気が吸い込まれ、その外気が一対の流入口４３，４３から第１通路４１内に流入する。その後、一対の第１通路４１から第２通路４５に流入して、第２通路４５にて伝熱ケース５７Ａ，５７Ｂを介してＰＴＣヒータ５５によって空気が加熱される。この際、伝熱ケース５７Ａ，５７Ｂは、多数の放熱フィン５８Ａ，５８Ｂが一体的に設けられているため、ＰＴＣヒータ５５の熱を確実に伝熱し、吸い込んだ外気を加熱（昇温）することができる。そして、加熱された空気は、第３通路４９で再び分流されて第４通路５２に流入し、吐出口３６から両布団間に吐出される。
【００４２】
この使用状態では、挿入部である重畳部１４および吐出部材２７の上に掛け布団が被せられているため、ユーザまたは家族が不注意で踏み付ける可能性がある。しかし、本実施形態では、ＰＴＣヒータ５５の上流側から下流側にかけた加熱領域１６に補強ケース６８を配設し、上下方向の耐圧強度を高めている。そのため、不注意で踏み付けられた際の加熱領域１６の破損を防止できる。その結果、ＰＴＣヒータ５５による意図しない過度の発熱を防止でき、製品の安全性を高めることができる。また、補強ケース６８は、重畳部１４の底壁１２ａおよび天壁１３ａに近接する四角筒状の部材からなるため、送風路４０としての断面積を十分に確保したうえで、十分な強度を確保できる。
【００４３】
さらに、本実施形態の補強ケース６８内にサーミスタ７４の検出部７４ａおよび温度ヒューズ７５Ａ，７５Ｂを配設しているため、不注意で踏み付けられた際の破損を防止できる。しかも、補強ケース６８内は、外力が加わっても変形することはない部分であるため、特に全体を補強ケース６８内に配設した温度ヒューズ７５Ａ，７５Ｂは、検出位置を正確に固定できる。よって、加熱温度を正確に検出することができるため、製品の安全性と信頼性を高めることができる。
【００４４】
さらにまた、ＰＣＴヒータは、金属製の伝熱ケース５７Ａ，５７Ｂ内に収納されている。伝熱ケース５７Ａ，５７Ｂの隙間はシール部材６２により密封されている。そのため、ＰＴＣヒータ５５に油分が付着することを確実に防止できる。また、伝熱ケース５７Ａ，５７Ｂの両端には装着用耐熱部材６３Ａ，６３Ｂが配設されるため、例え油分が侵入してＰＴＣヒータ５５が熱暴走しても、溶融した素子が伝熱ケース５７Ａ，５７Ｂの端部から拡散することを防止できる。よって、この点からも製品の安全性および信頼性を向上することができる。また、装着用耐熱部材６３Ａ，６３Ｂにより加熱領域１６内の強度を更に向上することができる。
【００４５】
しかも、本実施形態では、回動可能にヒンジ接続する吐出部材２７を備え、そのヒンジ接続部２２を加熱領域１６の近傍に設け、更にヒンジ接続部２２の両端に補強リング２６を配設しているため、加熱領域１６の強度を更に高めることができる。また、ヒンジ接続部２２によって乾燥機本体１１に対して吐出部材２７を回動可能に構成しているため、非使用時には、図３および図４に示すように、コンパクトに折り畳んで収納することができる。
【００４６】
なお、本発明の布団乾燥機１０は、前記実施形態の構成に限定されるものではなく、種々の変更が可能である。
【００４７】
例えば、加熱手段は、前記実施形態ではＰＴＣヒータ５５を用いたが、ニクロム線を巻回したマイカヒータにより構成してもよい。また、補強ケース６８は、両端を開口した四角筒状（矩形状）に限られず、角部に面取り壁を設けた八角筒形状であってもよい。即ち、矩形状とは、矩形そのものだけではなく、矩形に近い形状も含み、正方形状の補強部材を並べて全体として矩形状と解釈されるものも含まれる。また、楕円筒状や真円筒状としてもよい。さらに、補強部は、別体の補強ケース６８を用いたが、ヒータケース４６の加熱領域１６の上流側の部分と下流側の部分に補強リブや補強用ボスを設けてもよい。
【符号の説明】
【００４８】
１０…布団乾燥機
１１…乾燥機本体
１２ａ…底壁
１３ａ…天壁
１４…重畳部（挿入部）
１６…加熱領域
１７…吸込部
１９…吸込口
２２…ヒンジ接続部
２６…補強リング
２７…吐出部材（挿入部）
３０…接続部
３６…吐出口
４０…送風路
４１…第１通路
４５…第２通路
４６…ヒータケース
４７ａ…底壁
４８ａ…天壁
４９…第３通路
５２…第４通路
５３…ファン（送風手段）
５４…駆動モータ（送風手段）
５５…ＰＴＣヒータ（加熱手段）
５７Ａ，５７Ｂ…伝熱ケース
５８Ａ，５８Ｂ…放熱フィン
６３Ａ，６３Ｂ…装着用耐熱部材
６８…補強ケース（補強部、筒状部材）
６９…底板部
７１…天板部
７３…支持柱部
７４…サーミスタ（安全装置）
７４ａ…検出部
７５Ａ，７５Ｂ…温度ヒューズ（安全装置）
【図１】
2014064826.tif 000003
【図２】
2014064826.tif 000004
【図３】
2014064826.tif 000005
【図４】
2014064826.tif 000006
【図５】
2014064826.tif 000007
【図６】
2014064826.tif 000008
【図７】
2014064826.tif 000009
【図８】
2014064826.tif 000010